(57)【要約】【課題】イオン発生装置において、広範囲にイオンを送出する。【解決手段】除電装置（イオン発生装置）においては、送風機構３１の送風口４３ａから前方に風が送出され、この風が、ダクト５２の内部空間５２ａ、イオン発生空間３３及び吹き出し流路３４を通過して、吹き出し口３４ａから送出される。このとき、イオン発生空間３３内に配置されたイオン発生素子により発生させたイオンがこの風に乗り、この風とともに吹き出し口３４ａから送出される。内部空間５２ａは、前方ほど左右方向に関する長さが長くなっているとともに、上下方向に関する長さが短くなっている。また、内部空間５２ａには、前後方向から見て送風口４３ａと重なる部分に、複数のピン５６が配列されている。複数のピン５６は、ダクト５２よりも後方に位置する点Ｐを中心とする円弧Ａに沿って、左右対称に配列されているとともに、左右方向に関するピン５６の間隔ｄが一定となっている。【選択図】図６
2011008983.tif 000002
【特許請求の範囲】
【請求項１】
送風口から所定の第１方向に風を送出する送風手段と、
前記送風口に接続されているとともに、前記送風口から前記第１方向に延びており、前記第１方向に関して前記送風口から離れるほど、前記第１方向と直交する第２方向に関する内部空間の長さが大きくなったダクトと、
前記ダクトに接続された、前記送風手段から送出された風を導入するための導入口、及び、当該風を送出するための送出口を有しており、内部にイオン発生素子が配置されたイオン発生空間とを備えており、
前記ダクトの内部空間には、前記第１方向及び前記第２方向と交差する方向に延びた複数のピンが配置されていることを特徴とするイオン発生装置。
【請求項２】
前記ダクトは、さらに、前記第１方向に関して前記送風口から離れるほど、前記第１方向及び前記第２方向と直交する方向に関する内部空間の長さが小さくなっていることにより、当該内部空間の前記導入口との接続部における前記第１方向と直交する断面の断面積が、前記送風口との接続部における当該断面積以下となっていることを特徴とする請求項１に記載のイオン発生装置。
【請求項３】
前記複数のピンが、前記第１方向及び前記第２方向と直交する方向から見て、前記第１方向に関して前記イオン発生空間側に凸となるような曲線に沿って配列されていることを特徴とする請求項１又は２に記載のイオン発生装置。
【請求項４】
前記曲線が円弧であることを特徴とする請求項３に記載のイオン発生装置。
【請求項５】
前記複数のピンは、互いに隣接する２つピンと前記円弧の中心とをそれぞれ結んだ２本の直線のなす角がすべて同じとなるように配列されていることを特徴とする請求項４に記載のイオン発生装置。
【請求項６】
前記複数のピンが、前記第２方向に関して等間隔に配置されていることを特徴とする請求項１〜４のいずれかに記載のイオン発生装置。
【請求項７】
前記複数のピンの形状が、前記第１方向及び前記第２方向と直交する方向から見て円形であり、
前記第２方向に関するピンの間隔が、前記複数のピンの直径の１〜２倍の長さとなっていることを特徴とする請求項６に記載のイオン発生装置。
【請求項８】
第２方向に関して、前記複数のピンが配列されている領域の長さが、前記送風口の長さの２／３以下であることを特徴とする請求項１〜７のいずれかに記載のイオン発生装置。
【発明の詳細な説明】
【技術分野】
【０００１】
本発明は、イオン発生素子により発生させたイオンを、ファンなどにより発生させた風に乗せて送出することにより除電または帯電を行うイオン発生装置に関する。
【背景技術】
【０００２】
特許文献１に記載のイオン拡散装置においては、流体送り装置から送出された空気が、流体流通経路を通過し、その先端に位置する吹出口から送出される。流体流通経路は、流体送り装置から離れるほど幅が大きくなった拡大管部を有しており、拡大管部の内部には空気を案内するための複数の案内板が配置されている。これにより、流体送り装置から流体流通経路に流れ込んだ空気は、拡大管部の側壁面及び案内板に案内されて流れることにより、拡大管部の幅方向に拡散される。
【先行技術文献】
【特許文献】
【０００３】
【特許文献１】特開２００５−８３６５０号公報
【発明の概要】
【発明が解決しようとする課題】
【０００４】
しかしながら、特許文献１に記載のイオン拡散装置では、流体送り流路から空気が送出される方向に関する案内板の長さが短いと、拡大管部に流れ込んだ空気のうち、案内板に衝突することなく、すなわち、案内板に案内されることなく吹出口から送出されてしまうものの割合が大きくなってしまい、その結果、空気を十分に拡散することができない虞がある。
【０００５】
一方、流体送り流路から空気が送出される方向に関する案内板の長さを長くすれば、案内板に衝突しない空気の割合は少なくなるが、当該方向に関する案内板の長さを長くするためには、案内板が配置される流体流通経路の当該方向に関する長さを長くする必要がある。そして、流体流通経路が長くなると、イオン拡散装置が大型化してしまう。
【０００６】
本発明の目的は、大型化することなく、イオン発生素子において発生させたイオンをより広い範囲に送出することが可能なイオン発生装置を提供することである。
【課題を解決するための手段】
【０００７】
本発明に係るイオン発生装置は、送風口から所定の第１方向に風を送出する送風手段と、前記送風口に接続されているとともに、前記送風口から前記第１方向に延びており、前記第１方向に関して前記送風口から離れるほど、前記第１方向と直交する第２方向に関する内部空間の長さが大きくなったダクトと、前記ダクトに接続された、前記送風手段から送出された風を導入するための導入口、及び、当該風を送出するための送出口を有しており、内部にイオン発生素子が配置されたイオン発生空間とを備えており、前記ダクトの内部空間には、前記第１方向及び前記第２方向と交差する方向に延びた複数のピンが配置されていることを特徴とするものである。
【０００８】
これによると、ダクトの内部空間においては、互いに隣接する２つピンの間からも空気が流れ出るが、ピン自体が抵抗となることにより、第２方向に関してピンが配置されていない外側の領域に空気が流れやすくなる。これにより、ダクトの内部空間に流れ込んだ風を第２方向に拡散させることができ、その結果、イオン発生素子において発生させたイオンを、ダクトにおいて拡散させた風により第２方向の広い範囲に送出することができる。
【０００９】
また、ダクトの内部空間にピンを配置しているだけであるので、ダクトの第１方向に関する長さが長くなることはなく、よって、イオン発生装置が大型化してしまうこともない。
【００１０】
第２の発明に係るイオン発生装置は、第１の発明に係るイオン発生装置であって、前記ダクトは、さらに、前記第１方向に関して前記送風口から離れるほど、前記第１方向及び前記第２方向と直交する方向に関する内部空間の長さが小さくなっていることにより、当該内部空間の前記導入口との接続部における前記第１方向と直交する断面の断面積が、前記送風口との接続部における当該断面積以下となっていることを特徴とするものである。
【００１１】
これによると、ダクトからイオン発生空間に流れ出る風の流速が小さくなってしまうのを防止し、また前記第２方向への拡散を助長することができる。
【００１２】
第３の発明に係るイオン発生装置は、第１又は第２の発明に係るイオン発生装置であって、前記複数のピンが、前記第１方向及び前記第２方向と直交する方向から見て、前記第１方向に関して前記イオン発生空間側に凸となるような曲線に沿って配列されていることを特徴とするものである。
【００１３】
これによると、複数のピンの間からは、互いに隣接する２つピンを結ぶ直線と直交する方向にそれぞれ風が流れ出ることとなるが、複数のピンが第１方向及び第２方向と直交する方向から見て、第１方向に関してイオン発生空間側に凸となるような曲線に沿って配列されている場合には、このピンの間から流れ出る風の方向が、第２方向に関して外向きになる。したがって、ダクトの内部空間を流れる風をさらに効率よく第２方向に拡散させることができる。
【００１４】
第４の発明に係るイオン発生装置は、第３の発明に係るイオン発生装置であって、前記曲線が円弧であることを特徴とするものである。
【００１５】
これによると、上記曲線を円弧とした場合にも、隣接するピンの間を流れる風の向きが第２方向に関して外向きとなるため、ダクトの内部空間を流れる風をより効率よく第２方向に拡散させることができる。
【００１６】
第５の発明に係るイオン発生装置は、第４の発明に係るイオン発生装置であって、前記複数のピンは、互いに隣接する２つピンと前記円弧の中心とをそれぞれ結んだ２本の直線のなす角がすべて同じとなるように配列されていることを特徴とするものである。
【００１７】
これによると、複数のピンを、互いに隣接する２つピンと円弧の中心とをそれぞれ結んだ２本の直線のなす角がすべて同じとなるように配列することにより、ダクトの内部空間を流れる風を第２方向に効率よく拡散させることができる。
【００１８】
第６の発明に係るイオン発生装置は、第１〜第４のいずれかの発明に係るイオン発生装置であって、前記複数のピンが、前記第２方向に関して等間隔に配列されていることを特徴とするものである。
【００１９】
これによると、複数のピンを第２方向に関して等間隔に配列することにより、ダクトの内部空間を流れる風を第２方向にさらに効率よく拡散させることができる。
【００２０】
すなわち、複数のピンの間からは、互いに隣接する２つピンを結ぶ直線と直交する方向にそれぞれ風が流れ出ることとなるが、複数のピンが第１方向に関してイオン発生空間側に凸となるような円弧に沿って配列されている場合には、曲線の延在方向、つまり、ピンの間を流れる風の向きと直交する方向に関するピンの間隔は中央部ほど小さくなる。したがって、第１方向から見て複数のピンと重なる領域におけるダクトの内部空間の流路抵抗は、第２方向に関する外側ほど小さくなる。これにより、ダクトの内部空間を流れる風は、さらに第２方向の外側に風が流れやすくなり、ダクトの内部空間を流れる風を特に効率よく第２方向の外側に拡散させることができる。
【００２１】
第７の発明に係るイオン発生装置は、第６の発明に係るイオン発生装置であって、前記複数のピンの形状が、前記第１方向及び前記第２方向と直交する方向から見て円形であり、前記第２方向に関するピンの間隔が、前記複数のピンの直径の１〜２倍の長さとなっていることを特徴とするものである。
【００２２】
これによると、第１方向及び第２方向から見たピンの形状が円形である場合、第２方向に関するピンの間隔をピンの直径の１〜２倍の長さとすれば、ダクトの内部空間を流れる風を効率よく第２方向に拡散させることができる。
【００２３】
第８の発明に係るイオン発生装置は、第１〜第７の発明に係るイオン発生装置であって、第２方向に関して、前記複数のピンが配列されている領域の長さが、前記送風口の長さの２／３以下であることを特徴とするものである。
【００２４】
これによると、第２方向に関して、前記複数のピンが配列されている領域の長さが、前記送風口の長さの２／３以下である場合には、ダクトの内部空間を流れる風を効率よく第２方向に拡散させることができる。
【発明の効果】
【００２５】
本発明によれば、ダクトの内部空間においては、互いに隣接する２つピンの間からも空気が流れ出るが、ピン自体が抵抗となることにより、第２方向に関する外側の領域へ空気が流れやすくなるため、ダクトの内部空間に流れ込んだ風を第２方向に拡散することができる。その結果、イオン発生素子において発生させたイオンを、ダクトにおいて拡散させた風により広い範囲に送出することができる。
【００２６】
また、ダクトの内部空間にピンを配置しているだけであるので、ダクトの第１方向に関する長さが長くなることはなく、よって、イオン発生装置が大型化してしまうこともない。
【図面の簡単な説明】
【００２７】
【図１】本発明の実施の形態に係る除電装置の概略構成図である。
【図２】図１の除電装置を上方から見た図である。
【図３】図１の除電装置を下方から見た図である。
【図４】図１の除電装置を図１の手前側の側方から見た図である。
【図５】図２のＶ−Ｖ線断面図である。
【図６】図５のＶＩ−ＶＩ線断面図である。
【図７】図５のダクトユニットの斜視図である。
【図８】一方のダクトにより接続を行ったときの除電時間を示す図である。
【図９】他方のダクトにより接続を行ったときの除電時間を示す図である。
【図１０】図８に対する比較例を示す図である。
【図１１】図８に対する別の比較例を示す図である。
【図１２】図１１の比較例におけるダクトの構造を示す図である。
【図１３】変形例１の図８相当の図である。
【図１４】変形例２の図５（ａ）相当の図である。
【図１５】変形例２の図８相当の図である。
【図１６】変形例３の図５（ａ）相当の図である。
【図１７】変形例３の図８相当の図である。
【発明を実施するための形態】
【００２８】
以下、本発明の好適な実施の形態について説明する。
【００２９】
まず、本実施の形態に係る除電装置（イオン発生装置）の外観について説明する。図１は、本実施の形態に係る除電装置の外観を示す斜視図である。図２は図１の除電装置を上方から見た図である。図３は図１の除電装置を下方から見た図である。図４は図１の除電装置をその手前側の側方から見た図である。なお、以下では、図１に示すように前後方向、左右方向及び上下方向をそれぞれ規定して説明を行う。
【００３０】
図１〜図４に示すように、除電装置１は、本体ケース２、蓋３及びスタンド４を有している。本体ケース２は、上面が開口した略直方体形状のケースである。本体ケース２の前面には、電源スイッチ１２、風量切り替えスイッチ１３、表示ランプ１４及び後述する吹き出し流路３４の吹き出し口３４ａが設けられている。
【００３１】
電源スイッチ１２は、除電装置１のオン、オフを切り替えるためのものである。風量切り替えスイッチ１３は、吹き出し口３４ａから吹き出す風の風量（具体的には、後述するモータ４２の回転速度）を切り替えるためのものである。表示ランプ１４は、除電装置１の動作状態などを示すものである。
【００３２】
また、本体ケース２の下面には、複数の吸気口１５、１６が形成されている。複数の吸気口１５は、前後方向を長手方向とする略楕円形状の貫通孔であり、本体ケース２の下面における前端部近傍に左右方向に配列されている。なお、複数の吸気口１５は、後述する吸気流路７３（図５参照）に空気を導入するためのものである。
【００３３】
複数の吸気口１６は、それぞれが左右方向に延びた貫通孔であり、前後方向に２列に配列されている。また、前後方向に配列された複数の吸気口１６のうち、中央部に配置されているものは、これらよりも外側に配置されているものよりも幅（前後方向に関する長さ）が小さくなっている。なお、複数の吸気口１６は、後述するクロスフローファン４１（図５参照）に空気を導入するためのものである。
【００３４】
蓋３は本体ケース２の上面に配置されており、本体ケース２の上面の開口を塞いでいる。また、蓋３には、複数の吸気口１７及び貫通孔１８が形成されている。複数の吸気口１７は、吸気口１５と同様の略楕円形状を有する貫通孔であり、蓋３の前端部近傍に左右方向に配列されている。なお、複数の吸気口１７は、後述する吸気流路７２（図５参照）に空気を導入するためのものである。
【００３５】
貫通孔１８は、蓋３における複数の吸気口１７よりも後方の部分に形成されている。なお、貫通孔１８は、後述するダクトユニット５０の表示部６２ａ、６３ａを露出させるためのものである。
【００３６】
スタンド４は、本体ケース２の左右両側面にそれぞれ取り付けられた、上下方向に延びているとともに、その下端部が左右方向に関して本体ケース２に向かって約９０°折り曲げられた板状体である。スタンド４の上端は、左右方向から見て円弧状になっており、本体ケース２は、左右方向から見てこの円弧の中心と重なる軸２１に回動可能に支持されている。そして、ユーザがスタンド４に軸２１を中心として設けられた略円柱形状のつまみ２２を操作することにより、本体ケース２を回動させることができるようになっている。
【００３７】
また、スタンド４には、円弧状になったその上端のすぐ下方に、この円弧と中心が同じとなる１つの円に沿って３つのスリット２３が形成されている。ここで、本体ケース２の側面には、スリット２３と重なる部分に３つのネジ孔２４が形成されており、これら３つのネジ孔２４は、本体ケース２をどの位置に回動させたときにも、これらのうち少なくとも１つがスリット２３から露出するように配置されている。そして、これら３つのネジ孔１９のうちの１つにネジ２５を取り付けてネジ２５を締めることにより、本体ケース２をスタンド４に固定することができるようになっている。
【００３８】
ここで、ネジ孔２４が１つしかないと、本体ケース２を回動させたときに、図４（ｂ）に示すように、ネジ孔２４がスリット２３の間の部分にきてしまい、ネジ２５により本体ケース２をスタンド４に固定できない場合がある。しかしながら、本実施の形態では、上述したように、本体ケース２の側面に３つのネジ孔２４が設けられており、常に、これら３つのネジ孔２４のうち少なくとも１つはスリット２３から露出しているため、本体ケース２をどの位置に回動させた状態であっても、スリット２３から露出したネジ孔２４にネジ２５を取り付けることにより、本体ケース２をスタンド４に固定することができる。
【００３９】
なお、本実施の形態では、３つのネジ孔２４が形成されていたが、本体ケース２をどの位置に回動させた場合にも、少なくとも１つのネジ孔２４がスリット２３から露出するような位置に配置されているのであれば、ネジ孔２４が２つあるいは４つ以上形成されていてもよい。
【００４０】
また、スタンド４の上端部に指示マーク２６が描かれているともに、本体ケース２の側面には、スタンド４の上端を画定する円弧と中心が同じ円に沿ってその全周にわたって角度を示す目盛り２７が描かれている。これにより、指示マーク２６が示す目盛り２７の値により、本体ケース２の回動角度がわかるようになっている。
【００４１】
次に、本体ケース２の内部について説明する。図５は図２のＶ−Ｖ線断面図である。図６は図５のＶＩ−ＶＩ線断面図である。図７は図５のダクトユニットの斜視図である。
【００４２】
図１〜図７に示すように、本体ケース２の内部には、送風機構３１が配置されているとともに、ダクトユニット装着部３２、イオン発生空間３３、吹き出し流路３４及び制御回路３５が形成されている。
【００４３】
送風機構３１は、本体ケース２内部の後端部に配置されており、クロスフローファン４１、モータ４２及び流路４３を有している。クロスフローファン４１は、左右方向を長手方向とするように延びており、本体ケース２の後端部における左右方向の略中央部に配置されている。なお、クロスフローファン４１の構造については従来と同様であるので、ここではその詳細な説明を省略する。モータ４２は、クロスフローファン４１の右側に配置されており、モータ４２の回転によりクロスフローファン４１が回転する。そして、クロスフローファン４１の回転により、本体ケース２の下面に形成された複数の吸気口１６から空気が導入されるとともに、導入した空気が流路４３に送出される。
【００４４】
ここで、複数の吸気口１６は、前述したように、前後方向に関する中央部に配置されているものがこれらよりも外側に配置されているものよりもその幅が小さくなっているが、複数の吸気口１６のうち幅が小さいものが、クロスフローファン４１の下端部近傍部分、つまり、上下方向に関して本体ケース２の下端からの距離が近い部分と対向している。これにより、クロスフローファン４１の下端部近傍の部分と対向する吸気口１６から指などを入れてしまい、指などがクロスフローファン４１に接触してしまうのを防止することができる。
【００４５】
一方、クロスフローファン４１の本体ケース２の下端から離れた部分と対向する吸気口１６については幅を大きくすることにより、クロスフローファン４１を回転させたときの空気の導入量が多くなるようにしている。
【００４６】
このとき、本実施の形態の吸気口１６とは異なり、それぞれがクロスフローファン４１の延在方向と直交する前後方向に延びているとともに、左右方向に配列された複数の吸気口を形成した場合、上述したのと同様の効果を得るためには、各吸気口１６において、クロスフローファン４１の下端部と対向する部分の幅を小さくするとともに、それ以外の部分の幅を大きくするなど、各吸気口について、部分毎にその幅を変える必要がある。
【００４７】
しかしながら、本実施の形態では、複数の吸気口１６がそれぞれクロスフローファン４１の延在方向と平行な左右方向に延びているとともに、クロスフローファン４１の延在方向と直交する前後方向に配列されているため、吸気口１６間でその幅を変えればよく、各吸気口１６においては、その幅を一定にすることができる。これにより、吸気口１６の形状を簡単なものにすることができる。
【００４８】
流路４３は、クロスフローファン４１の上端部から前方に延びており、その先端が送風口４３ａとなっている。これにより、クロスフローファン４１から流路４３に送出された風は、図５の矢印Ｗで示すように、送風口４３ａから前方（第１方向）に送出される。
【００４９】
ダクトユニット装着部３２は、送風機構３１の前方に隣接して配置されており、蓋３を取り外すことにより、その上端が開口するようになっている。そして、ダクトユニット装着部３２においては、この開口からダクトユニット５０の着脱を行うことが可能となっている。
【００５０】
ダクトユニット５０は、上下方向に配列された２つのダクト５２、５３を備えている。なお、以下のダクトユニット５０の各部分の説明における方向は、ダクトユニット５０がダクトユニット装着部３２に装着されている状態での方向である。
【００５１】
２枚の固定板５１ａ、５１ｂは、ダクトユニット５０がダクトユニット装着部３２に装着された状態で、上下方向を長辺方向、前後方向を短辺方向とする略長方形の板状体であり、左右方向に関して、間に２つのダクト５２、５３を挟んで対向している。ダクト５２、５３は、上下方向に配列されており、２枚の固定板５１ａ、５１ｂに挟まれることで固定板５１ａ、５１ｂに固定されている。
【００５２】
そして、本実施の形態では、蓋３を取り外すことにより上端が開口したダクトユニット装着部３２に、固定板５１ａが左側、固定板５１ｂが右側に位置し、ダクト５２、５３のいずれかが上となるような状態でダクトユニット５０が装着される。
【００５３】
このとき、ダクト５２が上となるようにダクトユニット５０が装着されている場合には、図５（ａ）、図６（ａ）に示すように、ダクト５２により、送風機構３１の送風口４３ａと、イオン発生空間３３（後述の導入口３３ａ）とが接続される。
【００５４】
この状態で、ダクト５２は、前後方向（第１方向）に延びており、前方ほど（前後方向に関して送風口４３ａから離れるほど）、左右方向（第２方向）に関する内部空間５２ａの幅が大きくなっているとともに、上下方向（第１方向及び第２方向と直交する方向）に関する内部空間５２ａの幅が小さくなっている。
【００５５】
そして、これにより、内部空間５２ａは、イオン発生空間３３との接続部における前後方向と直交する断面の断面積が、送風口４３ａとの接続部における当該断面積よりも小さくなっている。あるいは、送風口との接続部、及び、イオン発生空間３３との接続部における内部空間５２ａの左右方向及び上下方向に関する長さは、上記２つの断面積が同じとなるような長さであってもよい。
【００５６】
このように、ダクト５２は、イオン発生空間３３との接続部における内部空間５２ａの断面積が、ダクト５２の送風口との接続部における内部空間の断面積以下となっているため、送風機構３１からダクト５２に導入された風の流速が、ダクト５２を通過してイオン発生空間３３に送出されるまでの間に低下してしまうのが抑制され、また、左右方向への風の拡散を助長することができる。
【００５７】
また、ダクト５２の内部空間５２ａには、その上面から下面まで上下方向に延びた複数のピン５６が配置されている。各ピン５６の断面は上下方向から見て略円形となっている。複数のピン５６は、左右方向に関して、ダクト５２の中心と同じ位置にあり、且つ、ダクト５２よりも後方に位置する点Ｐを中心とする半径ｒの円弧Ａ（前後方向に関してイオン発生空間３３側に凸となった曲線）に沿って左右対称に、左右方向に関する間隔ｄが一定となるように配列されている。ここで、複数のピン５６は、内部空間５２ａのうち、前後方向から見て送風口４３ａと重なる部分に、左右方向に、送風口４３ａとの接続部における長さの２／３程度の長さにわたって配置されている。
【００５８】
このようなダクト５２では、内部空間５２ａにおいて、互いに隣接する２つピン５６・５６の間からも空気が流れ出るが、ピン５６自体が抵抗となることにより、ピン５６が配置されていない左右方向に関する両端部における流路抵抗が、ピン５６が配置されている領域よりも小さくなる。したがって、内部空間５２ａを流れる風は、流路抵抗の小さい左右方向の外側に向かって流れやすくなり、内部空間５２ａを流れる風を左右方向に広く拡散させることができる。このとき、複数のピン５６が左右方向に関して等間隔に配列されているため、内部空間５２ａを流れる風は、左右方向に拡散される。
【００５９】
また、隣接する２つのピン５６の間から流れ出る風の方向は、上下方向から見てこれら２つのピン５６を結んだ直線と直交する方向となるが、複数のピン５６が、円弧Ａに沿って配列されている場合には、この方向が左右方向に関して外向きとなる。したがって、内部空間５２ａを流れる風を効率よく左右方向に拡散させることができる。
【００６０】
また、複数のピン５６が、円弧Ａに沿って左右方向に関して等間隔に配列されている場合、円弧Ａの延在方向（隣接する２つのピン５６の間から流れる風の向きと直交する方向）に関するピン５６の間隔は、ダクト５２の左右方向に関する中央部ほど小さくなる。これにより、内部空間５２ａの、前後方向から見て複数のピン５６と重なる領域においては、左右方向に関する外側の部分ほど流路抵抗が小さくなる。したがって、内部空間５２ａを流れる風はさらに左右方向の外側に流れやすくなり、内部空間５２ａを流れる風をさらに効率よく左右方向に拡散させることができる。
【００６１】
一方、ダクト５２が上となっているダクトユニット５０をダクトユニット装着部３２から取り外し、取り外したダクトユニット５０を、左右方向はそのままで上下を１８０°回転させることにより、ダクト５３が上となるようにしてダクトユニット装着部３２に装着すると、図５（ｂ）、図６（ｂ）に示すように、ダクト５３により、送風口４３ａと、イオン発生空間３３（後述の導入口３３ａ）とが接続される。
【００６２】
この状態で、ダクト５３は、前後方向に延びているとともに、前方ほど、左右方向に関する内部空間５３ａの幅が大きくなっているとともに、上下方向に関する内部空間５３ａの幅が小さくなっている。ただし、内部空間５３ａにおいては、左右方向に関する幅の変化の割合が、ダクト５２の内部空間５２ａと比較して小さくなっている。
【００６３】
そして、これにより、内部空間５３ａの、イオン発生空間３３との接続部における前後方向と直交する断面の断面積が、送風口４３ａとの接続部における当該断面積よりも小さくなっている。あるいは、送風口４３ａとの接続部、及び、イオン発生空間３３との接続部における、内部空間５３ａの左右方向及び上下方向に関する長さは、上記２つの断面積が同じとなるような長さであってもよい。
【００６４】
なお、ダクト５３においても、ダクト５２と同様、イオン発生空間３３との接続部における内部空間５３ａの断面積が、ダクト５２の送風口との接続部における内部空間５３ａの断面積以下となる場合は、送風機構３１からダクト５２に導入された風の流速が、内部空間５３ａを通過してイオン発生空間３３に送出されるまでの間に低下してしまうのが抑制される。
【００６５】
また、内部空間５３ａにはピン５６は配置されていない。これにより、内部空間５３ａを流れる風は、左右方向に拡散しにくく、風を前方に遠くまで送出することができる。
【００６６】
また、２枚の固定板５１ａ、５１ｂの一方である固定板５１ｂには、表示機構６０が配置されている。表示機構６０は、基材６１及び表示部材６２、６３を有している。基材６１は、上下方向を長辺方向、前後方向を短辺方向とする、前後方向に関する長さが固定板５１ｂよりも短い略長方形の板状体であり、上下方向に摺動可能に支持されている。
【００６７】
表示部材６２は、ダクトユニット５０が、ダクト５２が上となるようにダクトユニット装着部３２に装着された状態で（図７（ａ）の状態で）、前方から見て、その下端部から上方に延びているとともに途中で左方に約９０°折れ曲がって左方に延びた部材であり、上下方向に延びた部分が基材６１の上端部に固定されているとともに、上記左方に延びた部分の上面に表示部６２ａが形成されている。表示部６２ａは、略円柱形状を有しており、その表面に、例えばワイド(英文字ＷＩＤＥ)を示す「Ｗ」の文字が描かれている。
【００６８】
表示部材６３は、図７（ａ）の状態で、前方から見て、その上端部から下方に延びているとともに途中で左方に約９０°折れ曲がって左方に延びた部材であり、上下方向に延びた部分が基材６１の下端部に固定されているとともに、上記左方に延びた部分の下面に表示部６３ａが形成されている。表示部６３ａは、略円柱形状を有しており、その表面に、例えばストレート(英文字ＳＴＲＡＩＧＨＴ)を示す「Ｓ」の文字が描かれている。
【００６９】
そして、上述したように、ダクトユニット５０を、ダクト５２が上となるように、ダクトユニット装着部３２に装着すると、表示部６３ａの表面が、本体ケース２の下端部に押されることで表示機構６０が上方に移動する。このとき、固定板５１ｂに切り欠き５１ｄが形成されているため、表示部６３ａが形成された表示部材６３の折れ曲がった部分が切り欠き５１ｄに入り込むことより、表示機構６０は、表示部６３ａの表面が固定板５１ｂの下端と同じ高さとなるまで上方に移動し、このとき、表示部６２ａの表面が、本体ケース２の上端とほぼ同じ高さとなる。
【００７０】
そして、この状態で本体ケース２に蓋３を取り付けると、表示部６２ａが、蓋３に形成された貫通孔１８から露出する。これにより、ユーザは、表示部６２ａに表示された「Ｗ」の文字を見て、ダクト５２により送風口４３ａとイオン発生空間３３とが接続されていることを認識することができる。
【００７１】
一方、ダクトユニット５０を、ダクト５３が上となるように、ダクトユニット装着部３２に装着すると、表示部６２ａの表面が、本体ケース２の下端部に押されることで表示機構６０が上方に移動する。このとき、固定板５１ｂに切り欠き５１ｃが形成されているため、表示部６２ａが形成された表示部材６２の折れ曲がった部分が切り欠き５１ｃに入り込むことより、表示機構６０は、表示部６２ａの表面が固定板５１ｂの下端と同じ高さとなるまで上方に移動し、このとき、表示部６３ａの表面が、本体ケース２の上端とほぼ同じ高さとなる。
【００７２】
そして、この状態で本体ケース２に蓋３を取り付けると、表示部６３ａが、蓋３に形成された貫通孔１８から露出する。これにより、ユーザは、表示部６３ａに表示された「Ｓ」の文字を見て、ダクト５３により送風口４３ａとイオン発生空間３３とが接続されていることを認識することができる。
【００７３】
ここで、本実施の形態においては、ダクトユニット５０がダクトユニット装着部３２に装着された状態で、ダクトユニット５０の下端（固定板５１ａ、５１ｂの一方の下端）が本体ケース２の下端に接触するとともに、ダクトユニット５０の上端（固定板５１ａ、５１ｂの他方の上端）は本体ケース２の上端（蓋３）から離隔した状態となる。このため、表示機構６０を固定板５１ａに沿って上下方向に摺動可能となるようにすることにより、ダクトユニット５０をいずれの方向に装着した場合であっても、表示部６２ａ、６３ａが貫通孔１８から露出するようにしている。
【００７４】
したがって、本実施の形態とは異なり、ダクトユニット５０をダクトユニット装着部３２に装着したときに、固定板５１ａ、５１ｂの上端が、蓋３に接触した状態となる場合には、表示機構６０は固定板５１ｂに固定されていてもよい。また、この場合には、固定板５１ｂに切り欠き５１ｃ、５１ｄを設ける必要はない。
【００７５】
イオン発生空間３３は、ダクトユニット装着部３２の前方に隣接して配置された、左右方向に関して本体ケース２のほぼ全長にわたって延びた空間である。イオン発生空間３３は、その上下方向に関する略中央部が、ダクト５２、５３から送出された風が流れる主流路７１となっており、主流路７１の上方及び下方に位置する部分が、それぞれ、主流路７１に空気を導入するための吸気流路７２、７３となっている。
【００７６】
主流路７１は、ダクト５２または５３に接続される、イオン発生空間３３の上下方向に関する中央部の後端に設けられた導入口３３ａから、吹き出し流路３４に接続された、イオン発生空間３３の上下方向に関する中央部の前端に設けられた送出口３３ｂまで、前後方向に延びており、ダクト５２または５３から送出された風は、主流路７１を流れて吹き出し流路３４に送出される。
【００７７】
吸気流路７２は、蓋３に形成された前述の吸気口１７から主流路７１まで上下方向に延びている。また、吸気流路７２の内部には、イオン発生素子７４が配置されている。イオン発生素子７４は、例えば、誘導電極及び放電電極により挟まれたマイカなどの誘電体の表面に保護層が形成された左右方向に長尺のイオン発生基板が、このイオン発生基板を支持する支持体に取り付けられたものであり、放電電極が形成された表側面がイオンを発生するイオン発生面７４ａとなっている。そして、イオン発生素子７４においては、マイナスの高電圧パルスを印加することにより、イオン発生面７４ａ上にマイナスイオンを発生させる。
【００７８】
ここで、イオン発生素子７４は、上下方向に関して主流路７１から例えば５ｍｍ程度離れるように配置されている。また、イオン発生面７４ａは、前方の部分ほど下方に位置するように、前後方向に対して例えば３０°程度傾斜している。
【００７９】
吸気流路７３は、本体ケース２の下面に形成された前述の吸気口１５から主流路７１まで上下方向に延びている。また、吸気流路７３の内部には、イオン発生素子７５が配置されている。イオン発生素子７５もイオン発生素子７４と同様の構造を有するものであり、放電電極が形成された表側面がイオンを発生するイオン発生面７５ａとなっている。そして、イオン発生素子７５においては、プラスの高電圧パルスを印加することにより、イオン発生面７５ａ上にプラスイオンを発生させる。
【００８０】
ここで、イオン発生素子７５は、上下方向に関して主流路７１から例えば５ｍｍ程度離れるように配置されている。また、イオン発生面７５ａは、前方の部分ほど上方に位置するように、前後方向に対して例えば３０°程度傾斜している。
【００８１】
なお、本実施の形態では、イオン発生素子７４によりマイナスイオンを発生させるとともに、イオン発生素子７５によりプラスイオンを発生させたが、これとは逆に、イオン発生素子７４によりプラスイオンを発生させるとともに、イオン発生素子７５によりマイナスイオンを発生させてもよい。
【００８２】
ここで、主流路７１に風が流れると、主流路７１と大気、すなわち、吸気流路７２、７３を形成する空間との境界面に気圧が低い空気層が発生する。その為、気圧の低い空気層に吸気流路７２、７３から大気圧の空気が流れ込む。これによって、吸気流路７２、７３においては、それぞれ、図５の矢印ｗで示すように、吸気口１５、１７から空気が導入されるとともに、導入された空気が主流路７１に向かって流れる。このとき、吸気流路７２、７３内の空気は、イオン発生面７４ａ、７５ａ上を通過してから主流路７１に流れ込むため、イオン発生素子７４、７５により発生させたイオンを主流路７１を流れる風に乗せることができる。これにより、イオン発生素子７４、７５において発生させたイオンを送出することができる。
【００８３】
さらに、イオン発生面７４ａ、７５ａが、前述したように前後方向に対して傾斜しているため、吸気流路７２，７３と主流路７１との間の空気の流れ込みがスムーズに行える。また、イオン発生面７４ａ、７５ａで発生したイオンは、その発生の直後においては、左右方向の分布にばらつきがあるが、イオン発生面７４ａ、７５ａが前後方向に傾いていることにより、イオン発生面７４ａ、７５ａ上を流れる空気にイオンが流れ込むまでに左右方向に均等に分布させることができる。
【００８４】
したがって、イオン発生面７４ａ、７５ａを前後方向に対して傾斜させることにより、イオン発生素子７４、７５により発生させたイオンを効率よくまた左右方向に均一に、主流路７１を流れる風に乗せることができる。
【００８５】
また、主流路７１とイオン発生素子７４、７５とに間隔がない場合は主流路７１の風が吸気流路７２、７３に逆流してしまい、間隔が広すぎると、主流路７１へのイオンの吸引効果が低下する。このため、イオン発生素子７４、７５は、このような風の逆流やイオンの吸引効率の低下が生じにくいよう、上下方向に関して主流路７１から例えば５ｍｍ程度離れるように配置されている。
【００８６】
そして、ダクト５２により送風口４３ａと導入口３３ａとが接続されている場合には、前述したように、内部空間５２ａを流れる風が左右方向に広く拡散されているので、この風に乗せられて送出されるイオンも、左右方向に関して広くワイドに送出される。また、この場合、上述したように、イオンが左右方向の全域に広がってイオン発生面７４ａ、７５ａ上を流れる風に流れ込むため、左右方向により広くイオンを送出することができる。
【００８７】
一方、ダクト５３により送風口４３ａと導入口３３ａとが接続されている場合には、前述したように、風が左右方向に拡散されないで送出される。このとき、内部空間５３ａを流れる風がピン５６と衝突することはないので、風の流速はそれほど低下しない。これにより、この風に乗せられて送出されるイオンは、比較的狭い幅で前方に遠くまでストレートに送出される。
【００８８】
このように、除電装置１では、前述したように、ダクトユニット５０をダクトユニット装着部３２に装着する向きを変えて、ダクト５２により送風口４３ａと導入口３３ａとが接続された状態と、ダクト５３により送風口４３ａと導入口３３ａとが接続された状態とを切り替えることにより、イオンを左右方向に広くワイドに送出したい場合、及び、イオンを比較的狭い幅で前方に遠くまでストレートに送出したい場合のいずれの場合にも対応することができる。
【００８９】
より詳細には、例えば、作業者がテーブル上で作業をする際に使用する場合などには、テーブル上のどの場所でもイオンが対象物に達して除電が行われるようにするために広範囲で除電が行われることが望まれる。なお、一般的には、横幅７００ｍｍ程度まで充分に除電できればテーブル上は殆ど除電可能な範囲になる。
【００９０】
一方、対象物の近傍に除電装置１を設置するスペースが確保できず対象物が遠くにある場合には、除電装置を対象物から離れた位置に設置して除電を行うことが望まれる。このとき、対象物が遠い位置にあるため除電装置１から送出されるプラスイオンとマイナスイオンとは互いに相殺してしまう虞があるが、イオンの送出スピードを速くし相殺量を少なく押さえることにより、除電範囲は狭くはなるが効率よく除電を行うことができる。
【００９１】
これに対して、上記の除電装置１は、上述したように、互いに異なる２つの様態でイオンを送出することができ、種々の用途に簡単に対応できる。
【００９２】
また、ダクト５２またはダクト５３の切り替えは、ダクトユニット５０のダクトユニット装着部３２への装着する向きを変えることにより行うが、本実施の形態では、下に位置するダクト(図５(ａ）ではダクト５３、図５（ｂ）ではダクト５２)はクロスフローファン４１前方のスペースが有効に利用されて収納されるため、２つのダクト５２、５３を有するダクトユニット５０を設けても除電装置１が大型化することもない。
【００９３】
吹き出し流路３４は、イオン発生空間３３の前方に隣接して配置された、左右方向に関して本体ケース２のほぼ全長にわたって延びた流路であり、イオン発生空間３３の送出口３３ｂに接続されているとともに、この接続部から本体ケース２の前面に形成された吹き出し口３４ａまで前後方向に延びている。また、吹き出し流路３４には、吹き出し口３４ａ近傍の部分に、左右方向に関して吹き出し流路３４のほぼ全長にわたって延びているとともに上下方向に配列された３つのルーバ８１が設けられている。
【００９４】
ここで、イオン発生素子７４、７５においては、イオンを発生させるために電極に高電圧を印加しており、イオン発生素子７４、７５を指などで触ってしまうと危険であるが、本実施の形態では、吹き出し流路３４に、ルーバ８１が設けられているため、イオン発生素子７４、７５を指などで触ってしまうことが防止される。
【００９５】
また、ルーバ８１は、図５に示すように、左右方向から見て、前後方向に関する両端が略円弧状になっている。これにより、吹き出し流路３４を流れてルーバ８１に衝突した風は、円弧状になったルーバ８１の端に沿ってスムーズに流れる。したがって、吹き出し流路３４を流れる風がルーバ８１に衝突してこの風の流速が低下してしまうのを極力抑えることができる。
【００９６】
また、吹き出し流路に３４にイオン発生素子７４、７５により発生したイオンバランスを検出するためのイオン検出素子を配置することがある。このような場合、上記のようにルーバ８１の、左右方向から見て前後方向に関する両端を略円弧状にすることにより渦流の発生を防止することができるため、正確な測定が行うことが可能となる。
【００９７】
制御回路３５は、本体ケース２の後端部における、クロスフローファン４１の左側に配置されている。制御回路３５は、除電装置１の動作を制御するためのものであり、表示ランプの点灯の制御、モータ２４の回転速度の制御、イオン発生装置７４、７５の電圧の制御などを行う。
【実施例】
【００９８】
次に、本発明に係る実施例について説明する。図８は、ダクト５２により送風口４３ａと導入口３３ａとを接続した状態で除電装置１を動作させたときの、除電装置１の前方の各地点における除電時間を示す図であり、（ａ）は被除電物がプラスに帯電している場合、（ｂ）は被除電物がマイナスに帯電している場合の除電時間である。ここで、除電時間は、＋（または−）１０００Ｖに帯電したある物体を＋（または−）１００Ｖまで減衰させるのに要する時間で定義される。
【００９９】
ここで、図８においては、除電時間が２．０秒、３．０秒、４．０秒、５．０秒及び６．０秒である位置を示す曲線をそれぞれ示しており、曲線上に記載の数値が除電時間となっている。
【０１００】
なお、図８は、ダクト５２の内部空間５２ａの、前後方向の長さが３５ｍｍ、送風口４３ａとの接続部における左右方向及び上下方向に関する長さが、それぞれ、１５０ｍｍ及び３４ｍｍ、導入口３３ａとの接続部における左右方向及び上下方向に関する長さが、それぞれ、２０４．６ｍｍ及び２０ｍｍであり、さらに、ピン５６の直径が３ｍｍ、ピン５６の数が１７本、円弧Ａの半径ｒが１５０ｍｍ、左右方向に関するピン５６の間隔ｄが３ｍｍ（ピン５６の直径とほぼ同じ長さ）の場合の結果である。そして、このとき、１７本のピン５６は、左右方向に関して９９ｍｍ（内部空間５２ａの送風口４３ａとの接続部における長さの２／３以下の長さ）にわたって配置されることとなる。また、図８においては、図面を見やすくするため、１７本のピン５６のうちの一部のみを示している。また、イオン発生空間７２に設置するイオン発生素子７４、７５の放電電極の左右方向の長さは３００ｍｍで導入口３３ａより長くなっている。
【０１０１】
また、図９は、ダクト５３により送風口４３ａと導入口３３ａとを接続した状態で除電装置１を動作させたときの除電時間を示す図である。図１０は、内部空間５２ａに複数のピン５６を設けなかった場合の除電時間を示す図である。図１１は、内部空間５２ａに複数のピン５６の代わりに、風の向きを変えるための壁となるリブ９１を設けた場合の除電時間を示す図である。
【０１０２】
ここで、図９は、ダクト５３の内部空間５３ａの送風口４３ａとの接続部における左右方向、上下方向に関する長さはダクト５２の内部空間５２ａとほぼ同じであり、且つ内部空間５３ａの左右方向の壁面が、上下方向から見て前後方向に対して１１°程度傾斜している場合の結果である。
【０１０３】
また、図１１に示すダクト５２の内部空間５２ａに配置されたリブ９１は、２ｍｍ程度の厚みを有するものであり、図１２に示すように、左右方向に関する間隔が、送風口４３ａとの接続部において１３．２ｍｍ程度、導入口３３ａとの接続部において１８．５ｍｍ程度となるように、内部空間５２ａの全域にわたって配列されている。
【０１０４】
また、これらの測定を行う際には、イオン発生素子７４、７５において３００Ｈｚで互いに位相をずらしてそれぞれマイナス、プラスの高電圧パルスを印加している。除電性能はイオン発生素子の特性のばらつきや、温度、湿度などイオン発生素子７４、７５の使用状況などによって変わってくる。したがって、測定に当たって印加する電圧は、除電装置１の吹き出し口３４ａから３００ｍｍ前方に位置し、且つ、左右方向に関してダクト５３の中央部と同じ位置にある地点において除電時間が１．０秒程度となるような値に調整している。
【０１０５】
具体的には、図８〜図１１の場合、イオン発生素子７４の印加電圧（マイナスイオンを発生させるための電圧）を、それぞれ、−１．８８ｋＶ、−１．８３ｋＶ、−１．９４ｋＶ、−１．８３ｋＶとしている。一方、イオン発生素子７５の印加電圧（プラスイオンを発生させるための電圧）を、それぞれ、２．４２ｋＶ、２．５３ｋＶ、３．０３ｋＶ、２．２４ｋＶとしている。
【０１０６】
図８、図１０の結果から、ダクト５２の内部空間５２ａに複数のピン５６を設けた場合には、除電時間分布は、ピン５６を設けない場合と比較して、前方へは短くなっているものの、左右方向には大きく広がっていることがわかる。
【０１０７】
また、図９、図１０の結果から、ダクト５３により、送風口４３ａと導入口３３ａとを接続した場合には、除電時間分布は左右方向には狭くなっているものの、前方には長くなっていることがわかる。
【０１０８】
図８、図１０、図１１の結果から、内部空間５２ａにリブ９１を設けた場合にも、ピン５６やリブ９１がない場合と比較すれば、除電時間分布は左右方向に広くなるが、ピン５６を設けた場合ほど広くはならないことがわかる。
【０１０９】
ここで、リブ９１を設けた場合に、ピン５６を設けた場合ほど左右方向に関する除電時間分布が広くならないのは、図１２に示すように、内部空間５２ａを流れる風うち、矢印Ｗａで示すリブ９１に衝突する風は、左右方向に関する外側に流れの方向が曲げられるが、矢印Ｗｂで示すリブ９１に衝突しない風は流れの方向を曲げられることなく、そのまま前方に直進するためである。
【０１１０】
ここで、リブ９１の前後方向に関する長さを長くすれば、リブ９１に衝突しない風の割合が減り、内部空間５２ａを流れる風はより広く左右方向に拡散されることになるが、この場合には、リブ９１が配置されるダクト５２も前後方向に長くする必要があり、その結果、除電装置１が大型化してしまう。
【０１１１】
また、リブ９１の左右方向に関する間隔を、例えばピン５６の間隔と同程度まで短くすれば、ダクト５２の前後方向に関する長さを長くしなくてもリブ９１に衝突しない風の割合を減らすことができるようにも思われる。
【０１１２】
しかしながら、リブ９１の左右方向に関する間隔を小さくした場合には、リブ９１は、前後方向に関して内部空間５２ａの全長にわたって延びているため、内部空間５３ａの流路抵抗が大幅に増大し、その結果、ダクト５２から送出される風の流速が極端に小さくなってしまう。
【０１１３】
これに対して、本実施の形態では、内部空間５２ａに複数のピン５６を配置しているだけであるので、ダクト５２の前後方向に長くする必要がなく、また、左右方向に関するピン５６の間隔を小さくしても、内部空間５２ａの流路抵抗が大幅に増加してしまうこともない。
【０１１４】
また、本実施の形態において、例えば、図８と図９を比較してわかるように、図８は除電装置１をワイドとして使用した場合、図９は同除電装置１をストレートとして使用した場合を示している。図８から明らかなように本例においては、除電装置１の前方６００ｍｍ〜８００ｍｍの距離で左右方向＋３５０ｍｍ〜−３５０ｍｍの範囲で確実に除電時間６秒以内の特性を得ている。また、図９では、除電装置１の前方１２００ｍｍ以上の距離で、左右方向は＋２５０ｍｍ〜−２５０ｍｍ前後で範囲は狭くはなるが、この距離でも確実に除電時間６秒以内の特性を得ている。
【０１１５】
次に、本実施の形態に種々の変更を加えた変形例について説明する。ただし、本実施の形態と同様の構成を有するものについては同じ符号を付し、適宜その説明を省略する。
【０１１６】
一変形例（変形例１）では、左右方向に関するピン５６の間隔を上述の実施の形態よりも大きくしている。より詳細には、図１３に示すように、１１本のピン５６を、左右方向に関するピン５６の間隔が６ｍｍ（ピン５６の直径の２倍程度の長さ）となるように配置している。このとき、これら１１本のピン５６は、左右方向に関して９３．０ｍｍ（内部空間５２ａの送風口４３ａとの接続部における長さの２／３以下の長さ）にわたって配置されることとなる。なお、図１３においても、図８と同様、１１本のピン５６のうちの一部のみを示している。
【０１１７】
この場合でも、図８の場合ほど除電時間分布を左右方向に広くはできないものの、ピン５６が設けられていない図１０の場合と比較すれば、除電時間分布が左右方向に十分広くなっていることがわかる。
【０１１８】
また、図８、図１３に示す結果から、ピン５６の左右方向に関する間隔ｄが大きくなるほど左右方向に関する除電時間分布が狭くなることがわかるが、これは、ピン５６に接触せずにピン５６の間を抜けて直進する風の割合が高くなり、風が左右方向に拡散されにくくなるためであると考えられる。しかしながら、図８、図１３の結果から、ピン５６の左右方向に関する間隔ｄがピン５６の直径の１〜２倍程度であれば、除電時間分布を左右方向に十分に広くすることができることがわかる。
【０１１９】
ただし、左右方向に関するピン５６の間隔ｄは上述した範囲には限定されず、所望する左右方向に関する除電時間分布に応じて適宜変更することが可能である。また、ピン５６の径も、上述の３ｍｍには限られない。
【０１２０】
また、上述の実施の形態及び変形例１では、複数のピン５６が、内部空間５２ａの送風口４３ａとの接続部における長さの２／３以下の長さにわたって配置されていたが、これには限られず、複数のピン５６は、左右方向に関して上述したのとは異なる長さにわたって配置されていてもよい。ただし、ダクト５２の内部空間５２ａを流れる風を効率よく左右方向に拡散させるためには、前後方向から見て送風口４３ａと重なる部分に配置されていることが好ましく、また、内部空間５２ａの左右方向の両端部には、ピン５６が配置されていないことが好ましい。
【０１２１】
別の一変形例（変形例２）では、図１４に示すように、複数のピン５６が、円弧Ａに沿って、互いに隣接する２本のピン５６と円弧の中心である点Ｐとをそれぞれ結ぶ２本の直線がなす角度ａが互いに同じとなるように配列されている。
【０１２２】
この場合には、上述の実施の形態とは異なり、左右方向に関するピン５６の間隔は、ダクト５２の中央部ほど大きくなる。しかしながら、この場合でも、内部空間５２ａにおいて、複数のピン５６の配置されていない左右方向に関する両端部における流路抵抗が、ピン５６が配置された領域よりも小さくなっている。また、複数のピン５６が円弧Ａに沿って配列されているため、隣接する２つのピン５６の間を流れる風の向きが左右方向に関して外向きになる。
【０１２３】
したがって、この場合でも、図１５に示すように、左右方向に関して広い除電時間分布とすることができる。なお、図１５は、図１４において、角度ａを２．３°として、１７本のピン５６を配置した場合の結果である。
【０１２４】
ここで、図１５の結果を、図８の、左右方向に関して等間隔に配列されている場合と比較する。図８では、円弧Ａの延在方向（隣接する２つのピン５６の間から流れる風の向きと直交する方向）に関するピン５６の間隔が、ダクト５２の左右方向に関する中央部ほど小さくなる。すなわち、中央部分にいくほど抵抗が高くなるので、除電装置１の前方の等距離地点における除電時間分布をより平均化できる利点がある。図１５とは、この除電装置１の前方の等距離地点における除電時間分布の平均化の点で、若干の相違があるのみである。
【０１２５】
また、以上の説明では、複数のピン５６が円弧Ａに沿って配列されていたが、複数のピン５６は、上下方向から見て、前方（前後方向に関してイオン発生空間３３側）に凸となった、円弧以外の曲線に沿って配列されていてもよい。
【０１２６】
さらには、複数のピン５６は、上述したような曲線に沿って配列されていることには限られない。別の一変形例（変形例３）では、図１６に示すように、複数のピン５６が、左右方向と平行な直線Ｌに沿って等間隔（間隔ｄ）に配列されている。
【０１２７】
この場合でも、内部空間５２ａにおいて、複数のピン５６の配置されていない左右方向に関する両端部における流路抵抗が、ピン５６が配置された領域よりも小さくなっているため、図１７に示すように、左右方向に関して広い除電時間分布とすることができる。なお、図１７は、左右方向に関する間隔ｄを３ｍｍ程度とし、１７本のピン５６を配置した場合の結果である。
【０１２８】
また、以上の説明では、複数のピン５６が左右方向あるいは円弧Ａに沿った方向に関して左右対称に等間隔に配列されていたが、これらの方向に関するピン５６の間隔は等間隔でなくてもよいし、複数のピン５６は左右対称に配置されていなくてもよい。
【０１２９】
また、以上の説明では、複数のピン５６の形状が上下方向から見て円形となっていたが、これには限られず、上下方向から見たピン５６の形状は、楕円、三角形や四角形などの多角形、涙形（上下方向から見て後方側の略半分が円弧状になっているとともに、前方側の略半分が先細りになった形状）など、他の形状であってもよい。
【０１３０】
また、以上の説明では、複数のピン５６が上下方向に延びていたが、複数のピン５６は、左右方向及び前後方向と交差する方向であれば、上下方向に対して傾斜した方向に延びていてもよい。
【０１３１】
また、上述の実施の形態では、ダクトユニット５０をダクトユニット装着部３２に装着する向きを変更することにより、ダクト５２、５３のいずれかにより選択的に送風口４３ａと導入口３３ａとを接続することができるようになっていたが、ダクトユニット装着部３２が設けられておらず、ダクトユニット装着部３２に対応する部分にダクト５２が取り外しできない状態で設けられていてもよい。
【０１３２】
また、上述の実施の形態では、ダクト５２の内部空間５２ａにおいて、前方ほど、左右方向に関する長さが長くなっているとともに、上下方向に関する長さが短くなっていることにより、導入口３３ａとの接続部における断面積が送風口４３ａとの接続部における断面積以下となっていたが、上下方向に関する長さについては一定、あるいは前方ほど長くなっていてもよい。この場合には、内部空間５２ａの導入口３３ａとの接続部における断面積が送風口４３ａとの接続部における断面積よりも大きくなってしまい、内部空間５２ａから送出される風の流速が低下してしまうが、この場合には、この流速の低下を考慮して、送風機構３１から送出する風の流速を大きくすればよい。具体的には、クロスフローファン４１の回転速度を大きくすればよい。
【０１３３】
以上では、イオン装置の好適な実施の形態として除電装置について説明したが、発生したイオンをもって前方に置いた対象物に所定の帯電を行わせる帯電装置に本発明を適用できることは言うまでもない。ただし、この場合、イオン発生素子７４、７５の両方に帯電用の同じイオンまたは片方だけに帯電目的の一方のイオンを発生させることになる。
【符号の説明】
【０１３４】
１  除電装置
３１  送風機構
３３  イオン発生空間
３３ａ  導入口
３３ｂ  送出口
４３ａ  送風口
５２  ダクト
５２ａ  内部空間
５６  ピン
７４、７５  イオン発生素子
【図１】
2011008983.tif 000003
【図２】
2011008983.tif 000004
【図３】
2011008983.tif 000005
【図４】
2011008983.tif 000006
【図５】
2011008983.tif 000007
【図６】
2011008983.tif 000008
【図７】
2011008983.tif 000009
【図１２】
2011008983.tif 000010
【図１４】
2011008983.tif 000011
【図１６】
2011008983.tif 000012
【図８】
2011008983.tif 000013
【図９】
2011008983.tif 000014
【図１０】
2011008983.tif 000015
【図１１】
2011008983.tif 000016
【図１３】
2011008983.tif 000017
【図１５】
2011008983.tif 000018
【図１７】
2011008983.tif 000019